(57)【要約】【課題】  光学箱内に流入する塵埃による汚れを更に軽減させる。【解決手段】  回転多面鏡２９２が矢印Ｋ方向に回転することによって、回転多面鏡２９２の周囲に空気流が発生する。この空気流の流速は、回転多面鏡２９２と光学箱２００の後端部との間の狭い隙間を通る時に最も速くなる。このように流速が速くなった光学箱２００の後端部は、ベルヌーイの法則により、負圧となる負圧部Ｔが発生する。この負圧部Ｔは、常に一定でなく、点線Ｆ１と点線Ｆ２とで示すように、一定の周期で大きさが変化する。この変化によって、光学箱２００の内部と圧力調整室２０８の内部との間を、調整孔３００Ｙ，３００Ｍ，３００Ｃ，３００Ｋを介して空気が出入りする。更に、この空気の出入りＤ１に応じ、圧力調整室２０８の開口部２１０から外気が出入りする。よって、塵埃を含む外気の出入りは圧力調整室２０８に留まり、光学箱２００の内部には吸い込まれない。【選択図】        図５
2007033521.tif 000002
【特許請求の範囲】
【請求項１】
被走査体上を走査して露光する光ビームを出射する光走査装置において、
光源から射出した前記光ビームを反射して偏向走査させる回転多面鏡と、
前記回転多面鏡を内部に備える光学箱と、
前記光学箱の外側に設けられ、外気が出入り可能な開口部を備える圧力調整室と、
前記光学箱と前記圧力調整室とを連通する通気部と、
を備えることを特徴とする光走査装置。
【請求項２】
前記通気部は、前記開口部から前記圧力調整室に出入りする外気が流入しない位置にあることを特徴とする請求項１に記載の光走査装置。
【請求項３】
前記圧力調整室は、筒状であることを特徴とする請求項１、又は請求項２に記載の光走査装置。
【請求項４】
前記圧力調整室の一方側に前記通気部を設け、他方側に前記開口部を設けたことを特徴とする請求項１から請求項３のいずれか１項に記載の光走査装置。
【請求項５】
前記開口部は、前記圧力調整室の下部に設けられ、前記通気部は前記圧力調整室の上部に設けられていること特徴とする請求項１から請求項４のいずれか１項に記載の光走査装置。
【請求項６】
前記開口部は、下向きに開口していることを特徴とする請求項１から請求項５のいずれか１項に記載の光走査装置。
【請求項７】
前記開口部には、フィルターを備えることを特徴とする請求項１から請求項６のいずれか１項に記載の光走査装置。
【請求項８】
前記圧力調整室は、前記開口部と前記通気部との間に屈曲部を備えることを特徴とする請求項１から請求項７のいずれか１項に記載の光走査装置。
【請求項９】
前記屈曲部は、下方に凸状になったＵ字形状部を有することを特徴とする請求項８に記載の光走査装置。
【請求項１０】
前記Ｕ字形状部には、液体が充填されていることを特徴とする請求項９に記載の光走査装置。
【請求項１１】
前記通気部は、前記回転多面鏡と前記光学箱の対角位置に設けられていることを特徴とする請求項１から請求項１０のいずれか１項に記載の光走査装置。
【請求項１２】
前記通気部は、前記光学箱の内部に備える光学部品の調整用の孔であることを特徴とする請求項１から請求項１１のいずれか１項に記載の光走査装置。
【請求項１３】
前記光学箱は縦長形状であり、
前記圧力調整室は、前記光学箱の側面に設けられることを特徴とする請求項１から請求項１２のいずれか１項に記載の光走査装置。
【請求項１４】
請求項１から請求項１３のいずれか１項に記載の光走査装置を備えることを特徴とする画像形成装置。
【発明の詳細な説明】
【技術分野】
【０００１】
本発明は、光走査装置、及び画像形成装置に関する。
【背景技術】
【０００２】
レーザビームプリンタやデジタル複写機等で使用されている光ビームを出射する光走査装置は、光学箱の内部にレーザ光源，回転多面鏡，光学レンズなどが配設されている。レーザ光源から出射されたレーザビームは、回転する回転多面鏡で偏向走査され、感光体上に走査して露光される。
【０００３】
さて、回転多面鏡が回転することによって、回転多面鏡の周囲に空気流が発生する。この空気流の流速は、回転多面鏡と光学箱後端部との間の狭い隙間を通る時が最も速くなる。このように流速が速くなった光学箱後端部は、ベルヌーイの法則により、負圧が発生する。そして、この負圧によって、塵埃を含む外気が光学箱に吸い込まれ、回転多面鏡や光学レンズを汚す。
【０００４】
このような問題に対応する方法としては、光学箱を完全に密閉し、外気（塵埃）が光学箱内に吸い込まれないようにする方法が考えられる。しかし、光学箱を完全に密閉することは、非常に困難であり、また、できたとしても、非常に大幅なコスト高となる。
【０００５】
このため、光学箱内に、後端部（負圧部）と他の部分（正圧部）とを連絡する風路を設け、光学箱後端部に発生する負圧を緩和することによって、光学箱内に流入する外気を減少させ、塵埃による汚れを軽減する構成が提案されている。（例えば、特許文献１参照）。
【０００６】
しかしながら、特許文献１の構成も、他の部分（正圧部分）の空気に塵埃等を含んでいた場合、回転多面鏡を汚すことが考えられる。
【０００７】
また、光学箱内に流入する塵埃を、従来よりも更に軽減させることが望まれている。
【特許文献１】特開２００２−３５０７６６号公報
【発明の開示】
【発明が解決しようとする課題】
【０００８】
本発明は、上記問題を解決すべく成されたもので、光学箱内に流入する塵埃を、軽減させることを目的とする。
【課題を解決するための手段】
【０００９】
上記目的を達成するために請求項１に記載の光走査装置は、被走査体上を走査して露光する光ビームを出射する光走査装置において、光源から射出した前記光ビームを反射して偏向走査させる回転多面鏡と、前記回転多面鏡を内部に備える光学箱と、前記光学箱の外側に設けられ、外気が出入り可能な開口部を備える圧力調整室と、前記光学箱と前記圧力調整室とを連通する通気部と、を備えることを特徴としている。
【００１０】
請求項１に記載の光走査装置は、回転多面鏡の回転に伴い、回転多面鏡の周囲に空気流が発生する。この空気流の流速は、回転多面鏡と光学箱との間の狭い隙間を通る時に速くなる。このように流速が速くなった部分には、ベルヌーイの法則により、負圧となる負圧部が発生する。そして、この負圧部は、一定の周期で、大きさ・位置・形状などが変化する。
【００１１】
この負圧部の大きさ・位置・形状などの変化に伴い、通気部から圧力調整室に空気が出入りする。また、この空気の出入りに応じ、開口部から圧力調整室に外気が出入りする。つまり、塵埃を含む外気は圧力調整室に出入りするので、通気部から光学箱内部への外気（塵埃）の吸い込みが減少する。
【００１２】
請求項２に記載の光走査装置は、請求項１に記載の構成において、前記通気部は、前記開口部から前記圧力調整室に出入りする外気が流入しない位置にあることを特徴としている。
【００１３】
請求項２に記載の光走査装置は、通気部が開口部から圧力調整室に出入りする外気が流入しない位置にある。つまり、外気の出入りは圧力調整室に留まり、通気部から光学箱には流入しない。したがって、通気部から光学箱内部への塵埃の吸い込みが、より減少する。
【００１４】
請求項３に記載の光走査装置は、請求項１、又は請求項２に記載の構成において、前記圧力調整室は、筒状であることを特徴としている。
【００１５】
請求項３に記載の光走査装置は、圧力調整室が筒状をしているので、開口部と通気部との間の距離を離すことができる。
【００１６】
請求項４に記載の光走査装置は、請求項１から請求項３のいずれか１項に記載の構成において、前記圧力調整室の一方側に前記通気部を設け、他方側に開口部を設けたことを特徴としている。
【００１７】
請求項４に記載の光走査装置は、圧力調整室の一方側に通気部を設け、他方側に開口部を設けているので、通気部と開口部との間が離れている。したがって、通気部から光学箱内部への塵埃の吸い込みがより減少する。
【００１８】
請求項５に記載の光走査装置は、請求項１から請求項４のいずれか１項に記載の構成において、前記開口部は、前記圧力調整室の下部に設けられ、前記通気部は前記圧力調整室の上部に設けられていること特徴としている。
【００１９】
請求項５に記載の光走査装置は、開口部は圧力調整室の下部に設けられ、通気部は圧力調整室の上部に設けられているので、開口部から出入りする外気に含まれる塵埃は、重力のため上方の通気部に到達しにくい。したがって、通気部から光学箱内部への塵埃の吸い込みがより減少する。
【００２０】
請求項６に記載の光走査装置は、請求項１から請求項５のいずれか１項に記載の構成において、前記開口部は、下向きに開口していることを特徴としている。
【００２１】
請求項６に記載の光走査装置は、開口部が下向きに開口しているので、塵埃は重力のため開口部から落ち、圧力調整室に留まらない。したがって、通気部から光学箱内部への塵埃の吸い込みがより減少する。
【００２２】
請求項７に記載の光走査装置は、請求項１から請求項６のいずれか１項に記載の構成において、前記開口部には、フィルターを備えることを特徴としている。
【００２３】
請求項７に記載の光走査装置は、開口部に備えるフィルターによって、開口部から出入りする外気に含まれる塵埃が捕獲される。したがって、通気部から光学箱内部への塵埃の吸い込みがより減少する。
【００２４】
請求項８に記載の光走査装置は、請求項１から請求項７のいずれか１項に記載の構成において、前記圧力調整室は、前記開口部と前記通気部との間に屈曲部を備えることを特徴としている。
【００２５】
請求項８に記載の光走査装置は、開口部から出入りする外気が屈曲部を通過する際、屈曲部の内壁に塵埃が当たり付着する。したがって、通気部から光学箱内部への塵埃の吸い込みがより減少する。
【００２６】
請求項９に記載の光走査装置は、請求項８に記載の構成において、前記屈曲部は、下方に凸状になったＵ字形状部を有することを特徴としている。
【００２７】
請求項９に記載の光走査装置は、開口部から出入りする外気がＵ字形状部を通過する際、Ｕ字形状部の内壁に塵埃が当たって付着する。
【００２８】
請求項１０に記載の光走査装置は、請求項９に記載の構成において、前記Ｕ字形状部には、液体が充填されていることを特徴としている。
【００２９】
請求項１０に記載の光走査装置は、Ｕ字形状部に液体が充填されている。開口部から出入りする外気に応じ、液体の液面が上下する。よって、液体は、開口部からの外気の出入りは妨げないが、圧力調整室への外気の流入を遮断する。したがって、通気部から光学箱内部への塵埃の吸い込みが、略防止される。
【００３０】
請求項１１に記載の光走査装置は、請求項１から請求項１０のいずれか１項に記載の構成において、前記通気部は、前記回転多面鏡と前記光学箱の対角位置に設けられていることを特徴としている。
【００３１】
請求項１１に記載の光走査装置は、通気部が回転多面鏡と光学箱の対角位置に設けられている。よって、回転多面鏡の回転に伴う負圧の変動の影響が、光学箱内部の、通気部と回転多面鏡との間の空間によって緩衝される。よって、通気部からの空気の出入りが少なくなるので、通気部から光学箱内部への塵埃の吸い込みが、より減少する。
【００３２】
請求項１２に記載の光走査装置は、請求項１から請求項１１のいずれか１項に記載の構成において、前記通気部は、前記光学箱の内部に備える光学部品の調整用の孔であることを特徴としている。
【００３３】
請求項１２に記載の光走査装置は、光学箱の内部に備える光学部品の調整用の孔を通気部として利用している。よって、別途、通気部を設ける必要がない。
【００３４】
請求項１３に記載の光走査装置は、請求項１から請求項１２のいずれか１項に記載の構成において、前記光学箱は縦長形状であり、前記圧力調整室は、前記光学箱の側面に設けられることを特徴としている。
【００３５】
請求項１３に記載の光走査装置は、縦長形状の光学箱の側面に圧力調整室を設けている。よって、圧力調整室が光学箱からはみ出ることなく（光走査装置が大型化することなく）、縦長形状にし、例えば、開口部と通気部との間の距離を大きくできる。
【００３６】
請求項１４に記載の画像形成装置は、請求項１から請求項１３のいずれか１項に記載の光走査装置を備えることを特徴としている。
【００３７】
請求項１４に記載の画像形成装置は、請求項１から請求項１３のいずれか１項に記載の光走査装置を備えるので、光学箱に内部への塵埃の吸い込みが防止されている。よって、長期間に渡って、良好な画像を形成できる。
【発明の効果】
【００３８】
以上説明したように本発明によれば、塵埃を含む外気は圧力調整室に出入りするので、通気部から光学箱内部に流入する塵埃を減少させる効果がある。
【発明を実施するための最良の形態】
【００３９】
以下、図面を参照して本発明の実施の形態を詳細に説明する。なお、各図における上下関係は、装置の上下関係と一致する。
【００４０】
はじめに、画像形成装置０１の概略構成と、周知の電子写真方式による各色毎の画像形成プロセスと、について説明する。
【００４１】
まず、感光体ドラム４０Ｙ，４０Ｍ，４０Ｃ，４０Ｋが、帯電ロール２１Ｙ，２１Ｍ，２１Ｃ，２１Ｋによって帯電する。帯電した感光体ドラム４０Ｙ，４０Ｍ，４０Ｃ，４０Ｋは、光走査装置１００（図３参照、詳細は後述する）によってイエロー（Ｙ）、マゼンタ（Ｍ）、シアン（Ｃ）、ブラック（Ｋ）の各色に対応した光ビーム１０Ｙ，１０Ｍ，１０Ｃ，１０Ｋが走査露光され、各色毎の入力画像情報に応じた静電潜像が形成される。感光体ドラム４０Ｙ，４０Ｍ，４０Ｃ，４０Ｋの表面に形成されたイエロー（Ｙ）、マゼンタ（Ｍ）、シアン（Ｃ）、ブラック（Ｋ）の各色に対応した静電潜像は、対応する色の現像装置３０Ｙ，３０Ｍ，３０Ｃ，３０Ｋによって現像され、感光体ドラム４０Ｙ，４０Ｍ，４０Ｃ，４０Ｋ上にイエロー（Ｙ）、マゼンタ（Ｍ）、シアン（Ｃ）、ブラック（Ｋ）の各色のトナー像が形成される。
【００４２】
感光体ドラム４０Ｙ，４０Ｍ上に形成されたイエロー（Ｙ）、マゼンタ（Ｍ）のトナー像は、第１の一次中間転写ドラム５１上に転写される。同様に、感光体ドラム４０Ｃ，４０Ｋ上に形成されたシアン（Ｃ）、ブラック（Ｋ）のトナー像は、第２の一次中間転写ドラム５２上に転写される。
【００４３】
第１、第２の一次中間転写ドラム５１，５２上に形成された各色のトナー像は、二次中間転写ドラム５３上に転写される。したがって、二次中間転写ドラム５３上には、イエロー（Ｙ）、マゼンタ（Ｍ）、シアン（Ｃ）、ブラック（Ｋ）の各色トナー像が重ね合わされた最終的なフルカラートナー像が形成される。
【００４４】
一方、画像形成装置０１の下部に配設されている給紙カセット（図示略）から記録用紙が給紙される。
【００４５】
記録用紙は、ローラ対５５によって、二次中間転写ドラム５３と最終転写ロール６０とのニップ部に送り込まれる。そして、二次中間転写ドラム５３上に形成されたフルカラートナー像が記録用紙に転写される。フルカラートナー像が転写された記録用紙は、定着器７０に搬送され、熱と圧力とによって、フルカラートナー像が定着する。定着器７０から送り出された記録用紙は、画層形成装置０１の上部に配置されている排紙トレイ（図示略）に排出される。
【００４６】
つぎに、本発明の第１の実施形態に係る光走査装置１００について説明する。
【００４７】
図２（Ａ）に示すように、光走査装置１００は、内部に各種光学部品が取り付けられた縦長形状の光学箱２００を備えている。光学箱２００の下部の右角部は、内側に四角形状に凹んだ凹部２００Ｂが形成されている。また、光学箱２００の、凹部２００Ｂと逆の左側の側面２００Ａには、圧力調整室２０８（詳細は後述する）が設けられている。
【００４８】
また、図３（Ｂ）に示すように、光学箱２００は、境界部２８９を境に第一ケース部２０４と第二ケース部２０６とに別れている。なお、図２（Ｂ）にも示すように、光学箱２００と圧力調整室２０８とは一体的に成型されている。また、第一ケース部２０４と圧力調整室２０８とは、カバー２０５で蓋をされる構成となっている。
【００４９】
図３（Ａ）に示すように、第一ケース部２０４には、各シングルビームアレイ２８２Ｙ，２８２Ｍ，２８２Ｃ，２８２Ｋが左上方に、上下に並んで取り付けられている。各シングルレーザビームアレイ２８２Ｙ，２８２Ｍ，２８２Ｃ，２８２Ｋから出射した各色光ビーム１０Ｙ〜１０Ｋは、反射ミラー２８４，２８６で反射した後、レンズ２８８を透光し、反射ミラー２９０で反射して回転多面鏡２９２に入射する。回転多面鏡２９２は矢印Ｋ方向に回転し、各色光ビーム１０Ｙ〜１０Ｋを各感光体ドラム４０Ｙ〜４０Ｋの軸方向に走査偏向させる。なお、回転多面鏡２９２は、光学箱２００の下端部の凹部２００Ｂの左側方に位置している。また、回転軸は、水平方向である。（図３（Ｂ）参照）。
【００５０】
回転多面鏡２９２によって走査偏向した各色光ビーム１０Ｙ〜１０Ｋは、上方に配置された、第一Ｆθレンズ１２０，第二Ｆθレンズ１２２を透過したのち、折返ミラー１２４によって、境界部２８９の中央部分にあけられた窓２８９Ａから、近接した４本の光ビーム１０Ｙ〜１０Ｋとして第二ケース部１０６に出射する。
【００５１】
図３（Ｂ）に示すように、窓１０８Ａから出射し、近接した４本の光ビーム１０Ｙ〜１０Ｋは、光分離多面鏡１１０によって各感光体ドラム４０Ｙ〜４０Ｋの配列位置に応じた方向に分離される。光分離多面鏡１１０で分離された４本の光ビーム１０Ｙ〜１０Ｋは、反射ミラー１１２Ｙ〜１１２Ｋによって反射する。反射ミラー１１２Ｙ〜１１２Ｋで反射した光ビーム１０Ｙ〜１０Ｋは、最終ミラー１１４Ｙ〜１１４Ｋによって、それぞれ対応する各感光体ドラム４０Ｙ〜４０Ｋに導かれる。
【００５２】
さて、図４に示すように、光学箱２００の側面２００Ａの上部には、調整孔３００Ｙ，３００Ｍ，３００Ｃ，３００Ｋが形成されている。また、圧力調整室２０８の側面にも、調整孔３０２Ｙ，３０２Ｍ，３０２Ｃ，３０２Ｋが形成されている。
【００５３】
そして、図４の矢印Ｃで示すように、組み立て後に、調整孔３００Ｙ，３００Ｍ，３００Ｃ，３００Ｋ，３０２Ｙ，３０２Ｍ，３０２Ｃ，３０２Ｋに、工具（例えば、精密ドライバー）を通し、各シングルレーザビームアレイ２８２Ｙ，２８２Ｍ，２８２Ｃ，２８２Ｋの光量などを微調整する。
【００５４】
調整が済むと、図２や図３（Ａ）等に示すように、封印テープ３０４で、圧力調整室２０８の側面の調整孔３０２Ｙ，３０２Ｍ，３０２Ｃ，３０２Ｋを塞ぐ。なお、出荷後に再度調整が必要となった場合、封印テープ３０４を剥がして調整することができる。
【００５５】
なお、光学箱２００と圧力調整室２０８とを別体とし、圧力調整室２０８を取り付ける前に、調整孔３００Ｙ，３００Ｍ，３００Ｃ，３００Ｋに工具を通して各シングルレーザビームアレイ２８２Ｙ，２８２Ｍ，２８２Ｃ，２８２Ｋを調整し、調整後に圧力調整室２０８を取り付ける構成としても良い。このような構成の場合は、圧力調整室２０８の側面には、調整孔３０２Ｙ，３０２Ｍ，３０２Ｃ，３０２Ｋを必ずしも形成する必要はないが、上述したように出荷後に調整する場合を考えると、調整孔３０２Ｙ，３０２Ｍ，３０２Ｃ，３０２Ｋを封印テープ３０４で塞ぐ構成の方が良い。
【００５６】
さて、図２と図３（Ａ）とに示すように、圧力調整室２０８は、断面が四角形状の上下に長い筒状をしている。また、下部には下方に開口した開口部２１０を有している。圧力調整室２０８の内部は、調整孔３００Ｙ，３００Ｍ，３００Ｃ，３００Ｋで、光学箱２００の内部と連通している。また、開口部２１０から圧力調整室２０８の内部に外気が出入り可能となっている。
【００５７】
つぎに本実施形態の作用について説明する。
【００５８】
図５に示すように、回転多面鏡２９２が矢印Ｋ方向に回転することによって、回転多面鏡２９２の周囲に空気流が発生する。この空気流の流速は、回転多面鏡２９２と光学箱２００の下端部の凹部２００Ｂとの間の狭い隙間を通る時に最も速くなる。このように流速が速くなった光学箱２００の後端部は、ベルヌーイの法則により、負圧となる負圧部Ｔが発生する。
【００５９】
さて、本発明者らは、コンピューターシミュレーションや各種実験により、この負圧部Ｔは一定でなく、一定の周期で、大きさ・位置・形状などが変化することを見出した。なお、この変化を実線Ｆ１と点線Ｆ２とで示している。
【００６０】
このため、従来考えられていたように、光学箱２００の内部に発生した負圧によって、外気が単純に吸引されるのではなく、負圧部Ｔの大きさ・位置・形状などの変化に応じ、一定の周期で吸引と排気とを繰り返すことが判った。なお、本明細書中では、この現象を「脈動現象」と言うことがある。
【００６１】
さて、光学箱２００は、調整孔３００Ｙ，３００Ｍ，３００Ｃ，３００Ｋが形成されている。そして、光学箱２００の隙間や孔の中で、調整孔３００Ｙ，３００Ｍ，３００Ｃ，３００Ｋが最も大きい。つまり、光学箱２００に空気が出入り可能な隙間や孔の中で、空気の抵抗が最も小さい。よって、脈動現象による光学箱２００への空気の出入りは、調整孔３００Ｙ，３００Ｍ，３００Ｃ，３００Ｋから殆ど全て行われる。
【００６２】
これらの調整孔３００Ｙ，３００Ｍ，３００Ｃ，３００Ｋは、圧力調整室２０８と光学箱２００とを連通している。つまり、光学箱２００の内部と圧力調整室２０８の内部との間を、調整孔３００Ｙ，３００Ｍ，３００Ｃ，３００Ｋを介して空気が出入りする。なお、この空気の出入りを矢印Ｄ１で示している。
【００６３】
更に、この空気の出入りＤ１に応じ、圧力調整室２０８の開口部２１０から外気が出入りする。なお、この外気の出入りを矢印Ｄ２で示している。また、開口部２１０の開口は十分大きく、外気の出入りＤ２、及び空気の出入りＤ１の抵抗とはならない。
【００６４】
さて、圧力調整室２０８の体積を、圧力調整室２０８の開口部２１０から出入りする外気Ｄ２（なお、Ｄ２とＤ１とは略同量）よりも十分大きくすることで、調整孔３００Ｙ，３００Ｍ，３００Ｃ，３００Ｋを、圧力調整室２０８に出入りする外気Ｄ２の出入り範囲外にすることができる。すなわち、塵埃を含む外気の出入りは圧力調整室２０８に留まり、調整孔３００Ｙ，３００Ｍ，３００Ｃ，３００Ｋから光学箱２０内部には流入しない構成となる。（Ｄ１とＤ２とは、まじわらない）。よって、外気に含まれる塵埃の光学箱２００内部への吸い込みが大幅に減少する。
【００６５】
また、圧力調整室２０８は、下部に開口部２１０があり、上部に調整孔３００Ｙ，３００Ｍ，３００Ｃ，３００Ｋがある。よって、下部の開口部２１０から出入りする塵埃は、重力のため上部の調整孔３００Ｙ，３００Ｍ，３００Ｃ，３００Ｋまで到達しにくい。つまり、より塵埃が調整孔３００Ｙ，３００Ｍ，３００Ｃ，３００Ｋから吸引されにくい構成となっている。また、開口部２１０は下方に開口しているので、塵埃は開口部２１０から落ちる。
【００６６】
更に、光学箱２００は縦長形状をし、光学箱２００の側面２００Ａに圧力調整室２０８が設けられている。（図２参照）。このような構成は、光学箱２００からはみ出ることなく（光走査装置１００が大型化することなく）、圧力調整室２０８を縦長にして、下部の開口部２１０と上部にある調整孔３００Ｙ，３００Ｍ，３００Ｃ，３００Ｋとを離すことができるので、好適である。
【００６７】
なお、開口部２１０に、塵埃を捕獲するフィルター２１２を備えていても良い。しかし、このフィルター２１２が抵抗となって、開口部２１０からの空気の出入りＤ２を妨げると、調整孔３００Ｙ，３００Ｍ，３００Ｃ，３００Ｋ以外の隙間や孔から、光学箱２００に外気が出入りしてしまう。よって、フィルター２１２は、開口部２１０（及び、調整孔３００Ｙ，３００Ｍ，３００Ｃ，３００Ｋ）からの外気の出入りを妨げないものにする必要がある。
【００６８】
また、調整孔３００Ｙ，３００Ｍ，３００Ｃ，３００Ｋは、負圧部Ｔ（回転多面鏡２９２）とは光学箱２００の対角位置にある。よって、負圧部Ｔの影響が光学箱２００内部で緩衝されるので、調整孔３００Ｙ，３００Ｍ，３００Ｃ，３００Ｋからの空気の出入りＤ１の量が少なくなる。
【００６９】
なお、負圧部Ｔの変化、すなわち脈動現象（及び、脈動現象によるＤ１の量とＤ２の量）は、回転多面鏡２９２の直径や回転数、光学箱２００の内部の各種光学部品の配置、光学箱２００の大きさや形状等に影響される。よって、圧力調整室２０８の体積や開口部２１０の位置などは、事前に、上述した条件に基づいたコンピュータシュミレーションや実験等で決定すれば良い。
【００７０】
以上、今まで説明したように、外気に含まれる塵埃の光学箱２００内部への吸い込みを防止しているので、各種光学部品、例えば、回転多面鏡２９２や光学レンズ（第一Ｆθレンズ１２０，第二Ｆθレンズ１２等）を汚さない。よって、長期に渡って良好な画像が形成できる。
【００７１】
なお、圧力調整室２０８がなくでも、調整孔３００Ｙ，３００Ｍ，３００Ｃ，３００Ｋをテープ等で塞ぐと塵埃を吸い込まないように思うが、実際には、調整孔３００Ｙ，３００Ｍ，３００Ｃ，３００Ｋを塞いでも、次ぎに抵抗が少ない他の隙間や孔から外気が出入りして塵埃を吸い込む。また、全ての隙間や孔を塞いで光学箱２００を完全に密閉することは非常に困難であり、仮に完全に密閉できたとしても、非常に大幅なコスト高となる。よって、圧力調整室２０８を設け、調整孔３００Ｙ，３００Ｍ，３００Ｃ，３００Ｋからの塵埃を吸い込みを防止することは有効である。
【００７２】
つぎに、本発明の第二の実施形態に係る光走査装置１０１について説明する。なお、第一の実施形態と同一の部材は同一の符号とし、重複する説明は省略する。
【００７３】
圧力調整室２０９は、第一の実施形態で説明した圧力調整室２０８の開口部２１０に、下方に凸状となったＵ字形状のＵ字形状部材５００が取り付けられている。Ｕ字形状部材５００は中空のパイプである。そして、Ｕ字形状部材５００の開口部５１０から外気が出入りする。
【００７４】
つぎに、本実施形態の作用について説明する。
【００７５】
Ｕ字形状部材５００の開口部５１０から出入りした外気が凸部５１２を通過する際に、塵埃が内壁に当たって付着する。よって、調整孔３００Ｙ，３００Ｍ，３００Ｃ，３００Ｋからの塵埃の吸い込みが、より防止される。
【００７６】
なお、本実施形態では、Ｕ字形状をしているが、更に屈曲部が多い曲がりくねった形状（例えば、Ｗ字形状など）であれば、更に効果が大きい。
【００７７】
つぎに、本発明の第三の実施形態に係る光走査装置１０３について説明する。なお、第１の実施形態と同一の部材は同一の符号とし、重複する説明は省略する。
【００７８】
圧力調整室２０７は、第一の実施形態で説明した圧力調整室２０８の開口部２１０に、下方に凸状となったＵ字形上のＵ字形状部材６００が取り付けられている。Ｕ字形状部材６００は中空のパイプである。そして、Ｕ字形状部材６００の開口部６１０から外気が出入りする。
【００７９】
更に、Ｕ字形状部材６００内部には、液体８００が充填されている。なお、この液体８００は、蒸発しないように、高沸点で揮発性の低いオイルなどが望ましい。
【００８０】
つぎに本実施形態の作用について説明する。
【００８１】
Ｕ字形状部材６００の開口部６１０からの外気の出入りに応じ、図１８に示すように、液体８００の液面が上下する。よって、液体８００は、開口部６１０からの外気の出入りを妨げることなく、及び、調整孔３００Ｙ，３００Ｍ，３００Ｃ，３００Ｋからの空気の出入りの抵抗となることなく、圧力調整室２０８への外気の流入を遮断している。
【００８２】
したがって、調整孔３００Ｙ，３００Ｍ，３００Ｃ，３００Ｋからの塵埃の吸い込みを、略防止する。
【００８３】
なお、本発明は上記の実施形態に限定されない。
【００８４】
例えば、上記の実施形態では、圧力調整室２０８と光学箱２００との間の空気の出入りは、調整孔３００Ｙ，３００Ｍ，３００Ｃ，３００Ｋを利用したが、これに限定されない。他の光学部品の調整用の孔であっても良い。或いは、圧力調整室２０８と光学箱２００との間の空気の出入りが可能な、別途専用の通気部を設けても良い。
【００８５】
また、例えば、上記の実施形態では、圧力調整室２０８は、光学箱２００の側面２００Ａに設けられていたが、これに限定されない。上面や底面に設けても良い。或いは、圧力調整室をＬ字形状とし、上面と側面との両方に渡って設ける構成であっても良い。
【図面の簡単な説明】
【００８６】
【図１】画像形成装置を示す概略構成図である。
【図２】本発明の第一の実施形態に係る光走査装置の、（Ａ）は概観図であり、（Ｂ）は（Ａ）のＢ−Ｂ断面図である。
【図３】本発明の第一の実施形態に係る光走査装置の、（Ａ）は平面視した図であり、（Ｂ）は断面図である。
【図４】光走査装置を組み立て後に、各シングルレーザビームアレイを調整する様子を説明する説明図である。
【図５】回転多面鏡が回転することによる起こる脈動現象、及びこの脈動現象による空気の出入りを説明する説明図である。
【図６】本発明の第二の実施形態に係る光走査装置を平面視した図である。
【図７】本発明の第三の実施形態に係る光走査装置を平面視した図である。
【図８】Ｕ字形状部に充填された液体の液面が、外気の出入りによって上下する様子を説明する図である。
【符号の説明】
【００８７】
０１      画像形成装置
１０Ｙ    光ビーム
１０Ｍ    光ビーム
１０Ｃ    光ビーム
１０Ｋ    光ビーム
４０Ｙ    感光体ドラム（被走査体）
４０Ｍ    感光体ドラム（被走査体）
４０Ｃ    感光体ドラム（被走査体）
４０Ｋ    感光体ドラム（被走査体）
１００      光走査装置
１０１      光走査装置
１０３      光走査装置
２００      光学箱
２０７      圧力調整室
２０８      圧力調整室
２０９      圧力調整室
２１０      開口部
２１２      フィルター
２８２Ｙ    シングルレーザビームアレイ（光源）
２８２Ｍ    シングルレーザビームアレイ（光源）
２８２Ｃ    シングルレーザビームアレイ（光源）
２８２Ｋ    シングルレーザビームアレイ（光源）
２９２      回転多面鏡
３００Ｙ    調整孔（調整用の孔、連通部）
３００Ｍ    調整孔（調整用の孔、連通部）
３００Ｃ    調整孔（調整用の孔、連通部）
３００Ｋ    調整孔（調整用の孔、連通部）
５００      Ｕ字形状部
５１０      開口部
６００      Ｕ字形状部
６１０      開口部
８００      液体
【図１】
2007033521.tif 000003
【図２】
2007033521.tif 000004
【図３】
2007033521.tif 000005
【図４】
2007033521.tif 000006
【図５】
2007033521.tif 000007
【図６】
2007033521.tif 000008
【図７】
2007033521.tif 000009
【図８】
2007033521.tif 000010